(57)【要約】      （修正有）【課題】シングルルーメンチューブとマルチルーメンチューブとの接合を容易に行える医療用チューブの接合具およびそれを用いた医療用チューブの接合方法を提供すること。【解決手段】ルーメンを備えたシングルルーメンチューブ１１と、ルーメンを備えたマルチルーメンチューブ１４との端面同士を接合するために用いられる接合具２０である。接合具の一方側を、シングルルーメンチューブ１１のルーメンに挿入可能な柱状部２１で構成し、接合具の他方側を、柱状部２１の先端から突出しマルチルーメンチューブ１４のルーメン等にそれぞれ挿入可能な複数の棒状突起２２ｃ，２２ｄからなる棒状部で構成した。【選択図】図３
2011072352.tif 000002
【特許請求の範囲】
【請求項１】
一つのルーメンを備えたシングルルーメンチューブと、並列する複数のルーメンを備えたマルチルーメンチューブとの端面同士を接合するために用いられる医療用チューブの接合具であって、
一方側が、前記シングルルーメンチューブの断面形状に対応した断面形状を備え前記シングルルーメンチューブのルーメンに挿入可能な柱状部で構成され、他方側が、前記柱状部の先端から突出し、前記複数のルーメンを備えたマルチルーメンチューブのそれぞれのルーメンの断面形状に対応した断面形状を備え前記マルチルーメンチューブの複数のルーメンにそれぞれ挿入可能な複数の棒状突起からなる棒状部で構成されていることを特徴とする医療用チューブの接合具。
【請求項２】
前記シングルルーメンチューブが円筒状のチューブで構成され、前記柱状部が円柱状に形成されているとともに、前記マルチルーメンチューブが、断面形状が略円形の外周部の内部に断面形状が十字形の隔壁部を設けることにより断面形状が扇形の四つのルーメンが形成されたチューブで構成され、前記複数の棒状突起が、断面形状が扇形に形成された四本の棒状突起で構成されている請求項１に記載の医療用チューブの接合具。
【請求項３】
前記柱状部と前記棒状部との間の部分に、前記柱状部の断面形状から前記棒状部の断面形状へと断面形状が移行する中間の断面形状を備えた移行部を設けた請求項１または２に記載の医療用チューブの接合具。
【請求項４】
請求項１ないし３のうちのいずれか一つに記載の医療用チューブの接合具を用いて、一つのルーメンを備えたシングルルーメンチューブと、複数のルーメンを備えたマルチルーメンチューブとの端面同士を接合する医療用チューブの接合方法であって、
前記シングルルーメンチューブのルーメンに前記柱状部を挿入するとともに、前記マルチルーメンチューブの複数のルーメンに前記棒状部の複数の棒状突起をそれぞれ挿入して、前記シングルルーメンチューブの端面と前記マルチルーメンチューブの端面とを接面させるチューブ設置工程と、
前記シングルルーメンチューブと前記マルチルーメンチューブとの接面部近傍を加熱して前記シングルルーメンチューブと前記マルチルーメンチューブとを溶融接合する接合工程と、
前記シングルルーメンチューブと前記マルチルーメンチューブとの接合部分を冷却する冷却工程と、
前記医療用チューブの接合具を前記シングルルーメンチューブ側から抜き取る接合具抜取工程とを備えたことを特徴とする医療用チューブの接合方法。
【発明の詳細な説明】
【技術分野】
【０００１】
本発明は、一つのルーメンを一つ備えたシングルルーメンチューブと、複数のルーメンを備えたマルチルーメンチューブとの端面同士を接合するために用いられる医療用チューブの接合具およびそれを用いた医療用チューブの接合方法に関する。
【背景技術】
【０００２】
従来から、医療においては種々の目的で医療用チューブが用いられており、このような医療用チューブの中に、一つのルーメンを一つ備えたシングルルーメンチューブと、複数のルーメンを備えたマルチルーメンチューブとが一体となり１本の医療用チューブとして用いるものがある（例えば、特許文献１参照）。この医療用チューブ（創部ドレーンカテーテル）は、基端側部分がシングルルーメンチューブで構成され、先端側部分が、外周面にΩ形の凹部を円周に沿って等間隔で４個設けられることによって断面形状が略十字形に形成されたマルチルーメンチューブで構成されている。そして、シングルルーメンチューブとマルチルーメンチューブとの間の部分に、リング状に形成された部分の内面に十字形の片の各先端部をそれぞれ連結した形状等、シングルルーメンチューブからマルチルーメンチューブに断面形状が移行する移行部が形成されている。
【０００３】
前述した従来の医療用チューブを製造する方法としては、押出成形により直接シングルルーメンチューブとマルチルーメンチューブとを備えた医療用チューブを成形する方法や、シングルルーメンチューブとマルチルーメンチューブとをそれぞれ別に成形したのちに、シングルルーメンチューブとマルチルーメンチューブとの端面同士を接合する方法がある。
【先行技術文献】
【特許文献】
【０００４】
【特許文献１】特開２００２−２２４２２２号公報
【発明の概要】
【０００５】
しかしながら、従来の医療用チューブの製造方法のうち、押出成形により一度で最終形状の医療用チューブを成形する場合には、金型を徐々に形状を変化させることのできる複雑な構造にする必要があるため、製造が難しい上にコストも高くなる。また、別々に成形したシングルルーメンチューブとマルチルーメンチューブとを接合する方法では、一般に、シングルルーメンチューブとマルチルーメンチューブとのそれぞれのルーメンに形状を保持するための複数の接合具を入れて、シングルルーメンチューブとマルチルーメンチューブとの端面同士を加熱して溶融接合したのちに、各接合具を抜き取ることが行われるが、これによると、接合のための工程が増え接合が煩雑になるとともにコストが高くなる。
【０００６】
本発明は、このような事情に鑑みなされたもので、その目的は、シングルルーメンチューブとマルチルーメンチューブとの接合を容易に行える医療用チューブの接合具およびそれを用いた医療用チューブの接合方法を提供することである。
【０００７】
前述した目的を達成するため、本発明に係る医療用チューブの接合具の構成上の特徴は、一つのルーメンを備えたシングルルーメンチューブと、並列する複数のルーメンを備えたマルチルーメンチューブとの端面同士を接合するために用いられる医療用チューブの接合具であって、一方側が、シングルルーメンチューブの断面形状に対応した断面形状を備えシングルルーメンチューブのルーメンに挿入可能な柱状部で構成され、他方側が、柱状部の先端から突出し、複数のルーメンを備えたマルチルーメンチューブのそれぞれのルーメンの断面形状に対応した断面形状を備えマルチルーメンチューブの複数のルーメンにそれぞれ挿入可能な複数の棒状突起からなる棒状部で構成されていることにある。
【０００８】
本発明に係る医療用チューブの接合具は、シングルルーメンチューブとマルチルーメンチューブとの端面同士を加熱して溶融接合する際に用いられるもので、シングルルーメンチューブとマルチルーメンチューブとの接面部を加熱により溶融して接合したのちに冷却するまでの間、各ルーメンの形状を維持する。この医療用チューブの接合具は、シングルルーメンチューブの一つのルーメンに挿入可能な柱状部と、マルチルーメンチューブの複数のルーメンに挿入可能な複数の棒状突起からなる棒状部とを一体にして構成されている。なお、棒状部はシングルルーメンチューブにも挿通可能にしておく。
【０００９】
このため、シングルルーメンチューブのルーメンに柱状部を挿入するとともに、マルチルーメンチューブの複数のルーメンに棒状部の複数の棒状突起をそれぞれ挿入して、シングルルーメンチューブとマルチルーメンチューブとの端面同士を接面させその接面部分を加熱することにより溶融接合することができる。この処理の間、柱状部と、棒状部の複数の棒状突起とによってシングルルーメンチューブとマルチルーメンチューブとの各ルーメンの断面形状は、柱状部と、棒状部の複数の棒状突起の断面形状に近い形状に維持される。また、シングルルーメンチューブとマルチルーメンチューブとの接合が終了すると、医療用チューブの接合具は、医療用チューブのシングルルーメンチューブ側から引っ張ることにより容易に引き抜くことができる。
【００１０】
また、本発明に係る医療用チューブの接合具の他の構成上の特徴は、シングルルーメンチューブが円筒状のチューブで構成され、柱状部が円柱状に形成されているとともに、マルチルーメンチューブが、断面形状が略円形の外周部の内部に断面形状が十字形の隔壁部を設けることにより断面形状が扇形の四つのルーメンが形成されたチューブで構成され、複数の棒状突起が、断面形状が扇形に形成された四本の棒状突起で構成されていることにある。これによると、シングルルーメンチューブとマルチルーメンチューブとをほぼ元の形状に近い形状に維持したまま接合することができる。
【００１１】
また、本発明に係る医療用チューブの接合具のさらに他の構成上の特徴は、柱状部と棒状部との間の部分に、柱状部の断面形状から棒状部の断面形状へと断面形状が移行する中間の断面形状を備えた移行部を設けたことにある。
【００１２】
これによると、医療用チューブにおけるシングルルーメンチューブとマルチルーメンチューブとの接合部分の断面形状が急に変化することがなくなるため、シングルルーメンチューブとマルチルーメンチューブとの接合部の剛性を段階的または連続的に変化させることができる。この結果、耐キンク性（耐折れ性）の高い医療用チューブを得ることができる。この場合、例えば、マルチルーメンチューブの断面形状が円周に沿って複数のルーメンが形成されたものであれば、柱状部と棒状部との間の部分における各棒状突起間の部分に柱状部の先端側（マルチルーメンチューブ側）から基端側に行くほど深さが浅くなるとともに幅が小さくなった溝部を柱状部の外周面に設けることができる。
【００１３】
柱状部の外周面は、シングルルーメンチューブの内周面に対応する面であり、各棒状突起間はマルチルーメンチューブのルーメン間の隔壁部に対応する部分である。このため、柱状部と棒状部との間の部分における各棒状突起間の部分に柱状部の先端側から基端側に行くほど深さが浅くなるとともに幅が小さくなった溝部を柱状部の外周面に設けることにより、マルチルーメンチューブにおける各ルーメンを形成するための隔壁部をシングルルーメンチューブ側からマルチルーメンチューブ側に向かって徐々に形成していくことができる。これによると、シングルルーメンチューブとマルチルーメンチューブとの間に急な段差がなくなり、シングルルーメンチューブとマルチルーメンチューブとの剛性を連続的に変化させることができる。
【００１４】
また、本発明に係る医療用チューブの接合方法の構成上の特徴は、前述した医療用チューブの接合具を用いて、一つのルーメンを備えたシングルルーメンチューブと、複数のルーメンを備えたマルチルーメンチューブとの端面同士を接合する医療用チューブの接合方法であって、シングルルーメンチューブのルーメンに柱状部を挿入するとともに、マルチルーメンチューブの複数のルーメンに棒状部の複数の棒状突起をそれぞれ挿入して、シングルルーメンチューブの端面とマルチルーメンチューブの端面とを接面させるチューブ設置工程と、シングルルーメンチューブとマルチルーメンチューブとの接面部近傍を加熱してシングルルーメンチューブとマルチルーメンチューブとを溶融接合する接合工程と、シングルルーメンチューブとマルチルーメンチューブとの接合部分を冷却する冷却工程と、医療用チューブの接合具をシングルルーメンチューブ側から抜き取る接合具抜取工程とを備えたことにある。これによると、接合工程を減少できコストの低減化も図れる。
【図面の簡単な説明】
【００１５】
【図１】本発明の第１実施形態に係る接合具を用いて接合された医療用チューブを示しており、（ａ）は側面図、（ｂ）は正面図、（ｃ）は背面である。
【図２】第１実施形態に係る接合具を示した斜視図である。
【図３】第１実施形態に係る接合具を用いてシングルルーメンチューブとマルチルーメンチューブとを接合する状態を示した説明図である。
【図４】第２実施形態に係る接合具を用いて接合された医療用チューブを示しており、（ａ）は側面図、（ｂ）は（ａ）のｂ−ｂ断面図、（ｃ）は（ａ）のｃ−ｃ断面図、（ｄ）は（ａ）のｄ−ｄ断面図、（ｅ）は（ａ）のｅ−ｅ断面図である。
【図５】本発明の第２実施形態に係る接合具を示した斜視図である。
【発明を実施するための形態】
【００１６】
（第１実施形態）
以下、本発明の第１実施形態に係る医療用チューブの接合具を図面を用いて説明する。図１は、同実施形態に係る接合具２０（図２参照）を用いて接合された医療用チューブ１０を示している。この医療用チューブ１０は、ポリウレタン（本発明に係る軟質の熱可塑性樹脂）からなる成形体で構成されており、端面（断面）形状が図１（ｂ）に示したリング状のシングルルーメンチューブ１１と、端面（断面）形状が図１（ｃ）に示した異形のマルチルーメンチューブ１４との端面同士を接合して形成されている。そして、医療用チューブ１０におけるシングルルーメンチューブ１１とマルチルーメンチューブ１４との端面およびその近傍に溶融によって均一な状態になった接合部１０ａが形成されている。
【００１７】
シングルルーメンチューブ１１は、中央に断面形状が円形の大きなルーメン１２が形成された円筒状の外周部１３からなる単管で構成されている。マルチルーメンチューブ１４は、略円筒状の外周部１５と、外周部１５の内部に軸方向に沿って形成された断面形状が十字形の隔壁部１６とで構成されている。隔壁部１６を構成する各片の先端部はそれぞれ外周部１５の内面に連結されて、外周部１５の内部を断面形状が扇形の四つのルーメン１７ａ，１７ｂ，１７ｃ，１７ｄに区分している。そして、外周部１５におけるルーメン１７ａ，１７ｂ，１７ｃに対応する部分にそれぞれルーメン１７ａ，１７ｂ，１７ｃを外部に連通させるためのスリット１８ａ，１８ｂ，１８ｃが、それぞれ隔壁部１６の中心軸と平行に形成されている。
【００１８】
このように構成された医療用チューブ１０は、それぞれポリウレタンからなる軟質の熱可塑性樹脂材料で成形されたシングルルーメンチューブ１１とマルチルーメンチューブ１４との端面同士を、図２に示した接合具２０を用いて接合することによって得られる。この接合具２０は、一方が柱状部２１で構成され、他方が柱状部２１の先端面から周方向に一定間隔を保って軸方向に延びる複数の棒状突起２２ａ，２２ｂ，２２ｃ，２２ｄからなる棒状部２２で構成されている。
【００１９】
柱状部２１は、シングルルーメンチューブ１１のルーメン１２に挿入可能な直径の断面形状が円形の棒状部で構成され、後部に柱状部２１よりも直径が小さな把持部２１ａが設けられている。棒状部２２を構成する複数の棒状突起２２ａ，２２ｂ，２２ｃ，２２ｄは、マルチルーメンチューブ１４のルーメン１７ａ，１７ｂ，１７ｃ，１７ｄにそれぞれ挿入可能な細い棒状部からなっており、断面における大きさおよび配置がルーメン１７ａ，１７ｂ，１７ｃ，１７ｄの断面形状とそれぞれ対応するように形成されている。
【００２０】
すなわち、棒状部２２は、断面形状が略円形の外周部１５の内部に断面形状が十字形の隔壁部１６を設けることにより断面形状が扇形に形成された四つのルーメン１７ａ，１７ｂ，１７ｃ，１７ｄに対応するように、断面形状が扇形に形成された四本の棒状突起２２ａ，２２ｂ，２２ｃ，２２ｄで構成されている。そして、各棒状突起２２ａ，２２ｂ，２２ｃ，２２ｄの隙間の部分が十字形の隔壁部１６に対応する。
【００２１】
このように構成された接合具２０を用いて、シングルルーメンチューブ１１と、マルチルーメンチューブ１４とを接合する場合には、図３に示したようにして接合のための処理を行う。まず、シングルルーメンチューブ１１のルーメン１２に接合具２０の柱状部２１を挿入するとともに、マルチルーメンチューブ１４のルーメン１７ａ，１７ｂ，１７ｃ，１７ｄに接合具２０の各棒状突起２２ａ，２２ｂ，２２ｃ，２２ｄを挿入して、シングルルーメンチューブ１１の先端面とマルチルーメンチューブ１４の先端面とを接面させる。なお、図３においては、マルチルーメンチューブ１４のスリット１８ａ，１８ｂ，１８ｃは省略している。つぎに、シングルルーメンチューブ１１とマルチルーメンチューブ１４との接触部分およびその近傍を円筒状の金型２５内に入れるようにしてシングルルーメンチューブ１１とマルチルーメンチューブ１４とを設置する。
【００２２】
そして、シングルルーメンチューブ１１とマルチルーメンチューブ１４とを互いに押し付け圧縮した状態で、シングルルーメンチューブ１１とマルチルーメンチューブ１４との接面部分およびその近傍を金型２５を介して、１６０〜２２０℃の温度で５〜２０分間加熱する。これによって、シングルルーメンチューブ１１とマルチルーメンチューブ１４との接面部分およびその近傍は溶融して略均一状態になる。この場合、シングルルーメンチューブ１１とマルチルーメンチューブ１４とは圧縮しているため、溶融した部分がスリット１８ａ，１８ｂ，１８ｃのシングルルーメンチューブ１１側部分の内部や接続具２０とルーメン１２，１７ａ，１７ｂ，１７ｃ，１７ｄとの間の隙間に入り込む。溶融した部分がスリット１８ａ，１８ｂ，１８ｃ内や接続具２０とルーメン１２，１７ａ，１７ｂ，１７ｃ，１７ｄとの間の隙間に入り込んだ分、シングルルーメンチューブ１１とマルチルーメンチューブ１４との全体の長さは短くなる。
【００２３】
つぎに、シングルルーメンチューブ１１とマルチルーメンチューブ１４との接合部分を冷却する。これによって、シングルルーメンチューブ１１とマルチルーメンチューブ１４とは一体からなる医療用チューブ１０になる。そして、接合具２０をシングルルーメンチューブ１１側から引っ張って抜き取ることにより処理が終了する。この場合、マルチルーメンチューブ１４のスリット１８ａ，１８ｂ，１８ｃにおけるシングルルーメンチューブ１１側部分には多少外周部１５が形成されるようになる。
【００２４】
以上のように、本実施形態に係る接合具２０は、シングルルーメンチューブ１１のルーメン１２に挿入可能な柱状部２１と、マルチルーメンチューブ１４のルーメン１７ａ，１７ｂ，１７ｃ，１７ｄにそれぞれ挿入可能な複数の棒状突起２２ａ，２２ｂ，２２ｃ，２２ｄからなる棒状部２２とを一体にして構成されている。このため、シングルルーメンチューブ１１のルーメン１２に柱状部２１を挿入するとともに、マルチルーメンチューブ１４の複数のルーメン１７ａ，１７ｂ，１７ｃ，１７ｄに棒状部２２の複数の棒状突起２２ａ，２２ｂ，２２ｃ，２２ｄをそれぞれ挿入し、シングルルーメンチューブ１１とマルチルーメンチューブ１４との端面同士を接面させてその接面部分を加熱することにより溶融接合することができる。
【００２５】
この熱処理の間、柱状部２１と、棒状部２２の複数の棒状突起２２ａ，２２ｂ，２２ｃ，２２ｄとによってルーメン１２および、ルーメン１７ａ，１７ｂ，１７ｃ，１７ｄは、殆ど元の形状に近い形状に維持される。また、シングルルーメンチューブ１１とマルチルーメンチューブ１４との接合が終了すると、接合具２０は、医療用チューブ１０のシングルルーメンチューブ１１側から引っ張ることにより容易に引き抜くことができる。なお、接合具２０の表面にフッ素樹脂のコーティング等引抜抵抗を低減させる処理を施しておくこともでき、これによると、接合具２０の引き抜きをさらに容易にできるようになる。また、本実施形態に係る医療用チューブの接合方法によると、接合工程を減少できコストの低減化も図れる。
【００２６】
（第２実施形態）
図４は、本発明の第２実施形態に係る接合具４０（図５参照）を用いて接合された医療用チューブ３０を示している。この医療用チューブ３０は、断面形状が前述したシングルルーメンチューブ１１と同じに形成されたシングルルーメンチューブ３１と、断面形状が前述したマルチルーメンチューブ１４と同じに形成されたマルチルーメンチューブ３４との端面同士を接合して形成されており、接合部３０ａ（図４（ａ）におけるｂ−ｂ断面とｃ−ｃ断面の中間部からｄ−ｄ断面とｅ−ｅ断面の中間部までの部分）における各部分の断面形状が徐々に変化している。
【００２７】
すなわち、医療用チューブ３０におけるシングルルーメンチューブ３１の基端（図４（ａ）の左端）から接合部３０ａまでの部分の断面形状は、図４（ｂ）に示したように、中央に大きなルーメン３２が形成された円筒状の外周部３３からなる単管で構成されている。そして、図４（ｃ）に示したように、接合部３０ａにおけるシングルルーメンチューブ３１側部分の断面形状は、図４（ｂ）に示したシングルルーメンチューブ３１の断面形状における外周部３３の内周面に円周方向に等間隔で４つの小突起３３ａ，３３ｂ，３３ｃ，３３ｄを設けた形状に形成されている。
【００２８】
また、医療用チューブ３０におけるマルチルーメンチューブ３４の基端（図４（ａ）の右端）から接合部３０ａまでの部分の断面形状は、図４（ｅ）に示したように、略円筒状の外周部３５と、外周部３５の内部に軸方向に沿って形成された断面形状が十字形の隔壁部３６とで構成されている。隔壁部３６を構成する各片の先端部はそれぞれ外周部３５の内面に連結されて、外周部３５の内部を四つのルーメン３７ａ，３７ｂ，３７ｃ，３７ｄに区分している。そして、外周部３５におけるルーメン３７ａ，３７ｂ，３７ｃに対応する部分にそれぞれルーメン３７ａ，３７ｂ，３７ｃを外部に連通させるためのスリット３８ａ，３８ｂ，３８ｃが、それぞれ隔壁部３６の中心軸と平行に形成されている。
【００２９】
そして、図４（ｄ）に示したように、接合部３０ａにおけるマルチルーメンチューブ３４側部分の断面形状は、図４（ｅ）に示したマルチルーメンチューブ３４の断面形状におけるスリット３８ａ，３８ｂ，３８ｃをなくして、外周部３５を円筒状にした形状に形成されている。このように、医療用チューブ３０における接合部３０ａの断面形状は、図４（ｂ）、図４（ｃ）、図４（ｄ）、図４（ｅ）のように徐々に変化していく。
【００３０】
このように構成された医療用チューブ３０は、シングルルーメンチューブ３１とマルチルーメンチューブ３４との端面同士を、図５に示した接合具４０を用いて接合することによって得られる。この接合具４０は、一方が柱状部４１で構成され、他方が柱状部４１の先端面から周方向に一定間隔を保って軸方向に延びる複数の棒状突起４２ａ，４２ｂ，４２ｃ，４２ｄからなる棒状部４２で構成されている。柱状部４１は、シングルルーメンチューブ３１のルーメン３２に挿入可能な直径の棒状部で構成され、後部に柱状部４１よりも直径が小さな把持部４１ａが設けられている。
【００３１】
棒状部４２を構成する複数の棒状突起４２ａ，４２ｂ，４２ｃ，４２ｄは、マルチルーメンチューブ３４のルーメン３７ａ，３７ｂ，３７ｃ，３７ｄにそれぞれ挿入可能な細い棒状部からなっており、断面における大きさおよび配置がルーメン３７ａ，３７ｂ，３７ｃ，３７ｄの断面形状とそれぞれ対応するように形成されている。そして、柱状部４１の先端側外周面における棒状突起４２ａ，４２ｂ間、棒状突起４２ｂ，４２ｃ間、棒状突起４２ｃ，４２ｄ間および棒状突起４２ｄ，４２ａ間にそれぞれ移行部形成用の溝部４３（２個しか図示せず）が形成されている。各溝部４３は、シングルルーメンチューブ３１の先端から基端側にいくほど幅、深さともに徐々に小さくなっている。このように、各溝部４３を設けることによって、柱状部４１と棒状部４２との間に移行部が形成される。
【００３２】
すなわち、この接合具４０は、四つの溝部４３を備えていること以外は、前述した接合具２０と同一である。また、この接合具４０を用いてシングルルーメンチューブ３１とマルチルーメンチューブ３４との端面同士を接合して医療用チューブ３０を得るための処理は、前述した接合方法と同じである。これによって、図４に示したように、接合部３０ａの断面形状が徐々に変化していく医療用チューブ３０を得ることができる。
【００３３】
すなわち、接合具４０に各溝部４３からなる移行部を設けることによって、シングルルーメンチューブ３１とマルチルーメンチューブ３４との間に接合部３０ａが形成される。この場合も前述した第１実施形態と同様、シングルルーメンチューブ３１とマルチルーメンチューブ３４とは互いに押し付けられて圧縮しているため、溶融した部分がスリット３８ａ，３８ｂ，３８ｃのシングルルーメンチューブ３１側部分の内部、接続具４０とルーメン３２，３７ａ，３７ｂ，３７ｃ，３７ｄとの間の隙間および各溝部４３内に入り込む。そして、溶融した部分がスリット３８ａ，３８ｂ，３８ｃや各溝部４３の内部に入り込んだ分だけ、シングルルーメンチューブ３１とマルチルーメンチューブ３４との全体の長さは短くなる。
【００３４】
以上のように、本実施形態に係る接合具４０では、柱状部４１の先端側外周面に溝部４３が形成されているため、シングルルーメンチューブ３１とマルチルーメンチューブ３４との接合部３０ａの断面形状が急に変化することがなくなる。このため、接合部３０ａの剛性を連続的に変化させることができ、耐キンク性の高い医療用チューブ３０を得ることができる。この実施形態に係る接合具４０のそれ以外の作用効果については、前述した第１実施形態に係る接合具２０と同様である。
【００３５】
また、本発明に係る医療用チューブの接合具およびそれを用いた医療用チューブの接合方法は、前述した実施形態に限定するものでなく、本発明の技術範囲内で適宜変更が可能である。例えば、前述した各実施形態では、マルチルーメンチューブ１４，３４を４個のルーメン１７ａ，１７ｂ，１７ｃ，１７ｄ等を備えたものとしたが、このルーメンは二つであっても三つであってもよい。また、マルチルーメンチューブ１４，３４のスリット１８ａ等も三つでなく、すべてのルーメンに対応する部分にも設けてもよいし、一つまたは二つにしてもよい。また、スリットを設けなくてもよい。
【００３６】
シングルルーメンチューブ１１，３１のルーメン１２，３２の形状は円形に限るものでなく、マルチルーメンチューブ１４，３４の１７ａ，１７ｂ，１７ｃ，１７ｄ，３７ａ，３７ｂ，３７ｃ，３７ｄも扇形に限らず他の形状にしてもよい。また、医療用チューブを構成する軟質の熱可塑性樹脂についてもポリウレタンに限らずポリ塩化ビニル等の他の材料を用いることもできる。
【符号の説明】
【００３７】
１０，３０…医療用チューブ、１１，３１…シングルルーメンチューブ、１２，１７ａ，１７ｂ，１７ｃ，１７ｄ，３２，３７ａ，３７ｂ，３７ｃ，３７ｄ…ルーメン、１４，３４…マルチルーメンチューブ、２０，４０…接合具、２１，４１…柱状部、２２，４２…棒状部、２２ａ，２２ｂ，２２ｃ，２２ｄ，４２ａ，４２ｂ，４２ｃ，４２ｄ…棒状突起、４３…溝部。
【図１】
2011072352.tif 000003
【図２】
2011072352.tif 000004
【図３】
2011072352.tif 000005
【図４】
2011072352.tif 000006
【図５】
2011072352.tif 000007